(57)【要約】      （修正有）【課題】光検出器の反射光がノイズになることを防止する。【解決手段】光源１１と、光源１１からの光を記録媒体１５に導き、かつ、記録媒体１５から情報を含む光を取り出す光学素子と、取り出された光を受光面に受光する光検出器１８と、受光する光の光軸に対して受光面の角度を調整できるように光検出器１８を固定する固定部材とを備えた光ピックアップ装置であって、固定部材は、光検出器１８を固定する固定台２２を備え、固定台２２は受光面に平行で互いに反対方向に同軸に突出する２つの回転軸を備える。【選択図】図１
2007157220.tif 000002
【特許請求の範囲】
【請求項１】
光源と、光源からの光を記録媒体に導き、かつ、記録媒体から情報を含む光を取り出す光学素子と、取り出された光を受光面に受光する光検出器と、受光する光の光軸に対して受光面の角度を調整できるように光検出器を固定する固定部材とを備えた光ピックアップ装置。
【請求項２】
固定部材は、光検出器を固定する固定台を備え、固定台は受光面に平行で互いに反対方向に同軸に突出する２つの回転軸を備える請求項１記載の光ピックアップ装置。
【請求項３】
固定部材は、固定台を２つの回転軸を中心に回転可能に支持する支持部材を備える請求項２記載の光ピックアップ装置。
【請求項４】
支持部材は固定台を収容する凹部と、２つの回転軸の軸受用凹部を備える請求項３記載の光ピックアップ装置。
【請求項５】
固定台を収容する凹部は、固定台と支持部材とを接着する接着剤を貯留可能である請求項４記載の光ピックアップ装置。
【請求項６】
固定部材は、受光する光の光軸が受光面に垂直に入射しないように受光素子を固定する請求項１記載の光ピックアップ装置。
【発明の詳細な説明】
【技術分野】
【０００１】
本発明は光源からの光を、例えば光ディスク、光磁気ディスク等の光学式記録媒体に照射し、その反射された光を検出するための光ピックアップ装置に関する。
【背景技術】
【０００２】
従来、光ピックアップ装置における光源として半導体レーザが広く用いられており、とくに、高出力パワーの単一モードレーザが使用されている。再生信号はこのレーザからの光を光記録媒体に照射し、光記録媒体から反射してくる光ビームを光検出器より受光する。
即ち、従来の光ピックアップ装置は図８に示すように、光源となる半導体レーザ１１１と、このレーザ素子１１１の発する拡散光１３１を平行光へ変えるコリメータレンズ１１３と、光記録媒体１１５に集光させる集光レンズ１１４とを備え、光記録媒体１１５より反射され光記録媒体１１５から読み出された情報を含む反射光をビームスプリッタ１１２とマルチレンズ１１７を介して受光素子１１９へ導くようにしている。
【０００３】
この場合、受光素子１１９に入射した光はその一部が受光面で反射され、その反射光がマルチレンズ１７を介してビームスプリッタ１１２に入射し、ビームスプリッタ１１２により光記録媒体１１５の方へ反射される。従って、その反射光が半導体レーザ１１１から光記録媒体１１５へ入射する光に混入し、光記録媒体１１５から読み出された情報を含む反射光にノイズを発生させるという問題点がある。
そこで、このノイズの発生や影響を防止するための対策として、受光素子１１９の受光面に光無反射膜を設ける方法（例えば、特許文献１参照）や、受光素子からの反射光の集光点に遮光部材を設ける方法（例えば、特許文献２参照）などが知られている。
【特許文献１】特公平７−１１８７１号公報
【特許文献２】特許第３５７７１６２号公報
【発明の開示】
【発明が解決しようとする課題】
【０００４】
しかしながら、特許文献１に記載の方法では、当然のことながら光無反射膜を形成するための全く別の製造工程を必要とするとともに、受光面からの反射光を全くなくすことは困難であることからその効果が十分に満足できるものではない。
また、特許文献２に記載の方法では、受光素子で反射し集光する集光点近傍に遮光部材を設ける必要があり、部品点数や調整手数が増加することは避けられない。
この発明はこのような事情を考慮してなされたもので、ノイズの発生を簡単な構成で確実に防止できる光ピックアップ装置を提供するものである。
【課題を解決するための手段】
【０００５】
この発明は、光源と、光源からの光を記録媒体に導き、かつ、記録媒体から情報を含む光を取り出す光学素子と、取り出された光を受光面に受光する光検出器と、受光する光の光軸に対して受光面の角度を調整できるように光検出器を固定する固定部材とを備えた光ピックアップ装置を提供するものである。
【０００６】
この発明において、光源には、半導体レーザを好適に用いることができる。記録媒体には光ディスクや光磁気ディスクなどが適用される。また、光源からの光を記録媒体に導き、かつ、記録媒体から情報を含む光を取り出す光学素子としては、ビームスプリッタ，コリメータレンズ，集光レンズ，マルチレンズなどを適当に組合せて用いることができる。さらに、光検出器としては、フォトダイオードやフォトトランジスタなどを１つ以上用いて構成することができる。
【０００７】
固定部材は、光検出器を固定する固定台を備え、固定台は受光面に平行で互いに反対方向に同軸に突出する２つの回転軸を備えることが好ましい。
固定部材は、固定台を２つの回転軸を中心に回転可能に支持する支持部材を備えてもよい。
支持部材は固定台を収容する凹部と、２つの回転軸の軸受用凹部を備えてもよい。
固定台を収容する凹部は、固定台と支持部材とを接着する接着剤を貯留可能であってもよい。
固定部材は、受光する光の光軸が受光面に垂直に入射しないように受光素子を固定することが好ましい。
【発明の効果】
【０００８】
この発明によれば、受光する光の光軸に対して受光面の角度を調整できるように光検出器を固定する固定部材を備えるので、前記受光面を前記光軸に垂直にならないように傾けることにより、受光面からの反射光がノイズになることが防止される。
また、固定部材が、光検出器を固定する固定台を備え、固定台が受光面に平行で互いに反対方向に同軸に突出する２つの回転軸を備える場合には、回転軸を利用して支持台を傾けることにより、前記受光面が前記光軸に垂直にならないようにすることが容易になる。
【０００９】
また、固定部材が、固定台を２つの回転軸を中心に回転可能に支持する支持部材を備える場合には、２つの回転軸が支持されているので、支持台の位置決め操作を容易に行うことができる。
また、支持部材が固定台を収容する凹部と、２つの回転軸の軸受用凹部を備える場合には、支持部材を小型化することができる。
また、固定台を収容する凹部が、固定台と支持部材とを接着する接着剤を貯留可能である場合には、前記固定台の板状部材への接着剤による固着が容易になる。
以上のような種々の構成を採用して、受光する光が受光面に垂直に入射しないように受光素子の姿勢を調整することにより、受光素子の反射光によるノイズの発生が防止される。
【発明を実施するための最良の形態】
【００１０】
以下、図面に示す実施形態を用いてこの発明を詳細に説明する。
図１はこの発明の光ピックアップ装置の上面図である。同図において、光ピックアップ装置は、ハウジング１０の内部に、情報信号を光学式記録媒体１５に記録するための記録用の高出力のレーザ光と、光学式記録媒体１５に記録された情報信号を再生するための再生用のレーザ光とを出射する光源としての半導体レーザ１１と、半導体レーザ１１から出射された発散光３１を平行光に変換するコリメータレンズ１３と、平行光を光記録媒体１５に集光させる集光レンズ１４と、半導体レーザ１１とコリメータレンズ１３との間の光路上に設置された偏光ビームスプリッタ１２と、光学式記録媒体１５から反射され情報を含む光が偏光ビームスプリッタ１２により反射され、マルチレンズ１７を介して入射する光検出器１８と、光検出器１８を固定する固定台２２を備える。
【００１１】
図２は光検出器１８を固定する固定台２２の正面図，図３は図２のＡ−Ａ矢視断面図である。
これらの図に示すように、光検出器１８は固定台２２の凹部に嵌着され、透明な保護層２０によって覆われている。
固定台２２は、光検出器１８の受光面１８ａに平行で互いに反対方向に同軸に突出する２つの円柱状回転軸２２ａ，２２ｂを備える。
【００１２】
図４は図１のＢ−Ｂ矢視断面図であり、ハウジング１０の板状の側壁１０ａの内面には、固定台２２を収容する凹部４２と、回転軸２２ａ，２２ｂの軸受けとしての凹部４２ａ，４２ｂが形成されている。凹部４２と凹部４２ａ，４２ｂは、収容した固定台２２を図４に示すように、光検出器１８の中心Ｏの周りに矢印Ｍ方向に最大±１０度、回転軸２２ａ，２２ｂの軸の周りに矢印Ｎ方向に最大±５度だけ、それぞれ回動できる寸法と形状を有する。
そして、光検出器１８を固定した固定台２２は、図１および図４に示すように凹部４２に収容され、凹部４２に注入された接着剤によりハウジング１０の側壁に固着されるようになっている。
【００１３】
図５は光検出器１８の受光面の構成を示す正面図であり、フォトダイオード２５〜２８が設けられている。一方、半導体レーザ１１内にはグレーティング回折格子が設けられ、半導体レーザ１１から出射されるレーザ光はそのグレーティング回折格子により３つのビームに分離される。そして、中央のフォトダイオード２６，２８にメインビームが、両側のフォトダイオード２５，２７にサブビームが受光され、ＲＦ信号やトラッキング用信号などを得るようになっている。
【００１４】
従って、図４に示すように固定台２２を凹部４２へ収納し、接着剤で固着する前に、フォトダイオード２５〜２８の各々が受光信号を精度よく受光できるように固定台２２を矢印Ｍ方向に回動させて位置決めし、次に、フォトダイオード２５〜２８の反射光が、マルチレンズ１７から光検出器１８への入射光の光軸に沿って出射しないように固定台２２を矢印Ｎ方向に回動させて位置決めする。
【００１５】
固定台２２を凹部４２内へ収納して固着する具体的な手順は、まず、検出器１８を搭載した固定台２２と回転軸２２ａ，２２ｂとをそれぞれ凹部４２，４２ａ，４２ｂの中に仮止めし、半導体レーザ１１を発光させ、媒体１５からの反射光を検出器１８で受光する。この仮止めはピンセットなど簡易的に固定できる工具を用いておこなってもよく、また図６に示すような構造を持つ固定用治具４１を用いればさらに効率的に実施できる。ここで示す固定用治具４１には固定台２２の側面を支持する平板部４１ａとレーザ光を通過させる開口窓部４１ｂが設けられており、固定台２２に自由にチャッキングすることができるようになっている。
【００１６】
そこで、固定台２２を凹部４２，４２ａ，４２ｂに挿入して光検出器１８にレーザ光をうけ、まず、フォトダイオード２５〜２８が精度よく受光できるように固定台２２を矢印Ｍ方向（図４）に回転させる。次に、検出器１８の反射光がノイズにならないような位置に固定台２２を矢印Ｎ方向に回転させる。次に、接着剤を凹部４２の空き領域に注入し、固定台２２が十分に固着されるまで、固定台２２を固定用治具４１で保持し、固着後に固定具４１を除去する。
このように、固定台２２がハウジング１０の側壁に埋め込まれるようになっているため、ピックアップ形状の小型化、軽量化が実現できる。
【００１７】
また、図７は図１に示す実施形態の変形例を示し、固定台２２と回転軸２２ａ，２２ｂをそれぞれ装着する凹部４２，４２ａ，４２ｂがハウジング１０の側壁１０ａの外面に設けられている。この場合には、開口４３を側壁１０ａに設けることによって検出器１８は受光信号を精度良く受光することが可能で、固定治具４１を外部より固定台２２にチャッキングすることにより光学ピックアップの特性を損なうことなく、その位置および角度調整することができ、図１に示す実施形態と同様の効果を得ることができる。
【図面の簡単な説明】
【００１８】
【図１】この発明の実施形態の光ピックアップ装置の上面図である。
【図２】この発明に係る固定台の正面図である。
【図３】図２のＡ−Ａ矢視断面図である。
【図４】図１のＢ−Ｂ矢視断面図である。
【図５】光検出器の正面図である。
【図６】この発明に係る固定治具を示す斜視図である。
【図７】この発明の他の実施形態を示す図１対応図である。
【図８】従来例の構成説明図である。
【符号の説明】
【００１９】
１１    半導体レーザ
１２    偏光ビームスプリッタ
１３    コリメータレンズ
１４    集光レンズ
１５    光学式記録媒体
１７    マルチレンズ
１８    光検出器
１８ａ  受光面
２０    保護層
２２    固定台
２２ａ  回転軸
２２ｂ  回転軸
４２    凹部
４２ａ  凹部
４２ｂ  凹部
【図１】
2007157220.tif 000003
【図２】
2007157220.tif 000004
【図３】
2007157220.tif 000005
【図４】
2007157220.tif 000006
【図５】
2007157220.tif 000007
【図６】
2007157220.tif 000008
【図７】
2007157220.tif 000009
【図８】
2007157220.tif 000010